(57)【要約】      （修正有）【課題】洗浄力が充分に高く、沈澱等の不溶物が生じない、アニオン界面活性剤及びカチオン界面活性剤を両方含む液体洗浄剤組成物の提供。【解決手段】水と、脂肪酸塩、ポリオキシエチレンアルキルエーテル酢酸塩、ポリオキシエチレンアルキルエーテル硫酸塩、α−オレフィンスルホン酸塩、α−スルホ脂肪酸エステル塩、オクチル硫酸塩、トルエンスルホン酸塩、キシレンスルホン酸塩及びクメンスルホン酸塩かから選択される少なくとも１種のアニオン界面活性剤と、アルキルジメチルヒドロキシエチルアンモニウム塩、ジオクチルジメチルアンモニウム塩、ジデシルメチルポリオキシエチルアンモニウム塩及び下記一般式（１）で示される化合物からなる群から選択される少なくとも１種のカチオン界面活性剤とを含む液体洗浄剤組成物。2020002337.tif 000018［Ｒ１は、炭素数８〜１８のアルキル基、Ｒ２〜Ｒ４は、それぞれ、メチル基又はポリオキシアルキレン基、Ｘはハロゲン原子］【選択図】なし【特許請求の範囲】
【請求項１】
水と、
脂肪酸塩、ポリオキシエチレンアルキルエーテル酢酸塩、ポリオキシエチレンアルキルエーテル硫酸塩、α−オレフィンスルホン酸塩、α−スルホ脂肪酸エステル塩、オクチル硫酸塩、トルエンスルホン酸塩、キシレンスルホン酸塩及びクメンスルホン酸塩からなる群から選択される少なくとも１種のアニオン界面活性剤と、
アルキルジメチルヒドロキシエチルアンモニウム塩、ジオクチルジメチルアンモニウム塩、ジデシルメチルポリオキシエチルアンモニウム塩及び下記一般式（１）で示される化合物からなる群から選択される少なくとも１種のカチオン界面活性剤とを含むことを特徴とする液体洗浄剤組成物。
【化１】
2020002337.tif 000015
［Ｒ１は、炭素数８〜１８のアルキル基であり、Ｒ２〜Ｒ４は、それぞれ、メチル基又はポリオキシアルキレン基であり、Ｘはハロゲン原子である。］
【請求項２】
前記脂肪酸塩は、カプリル酸、オクチル酸、カプリン酸、ラウリン酸、ミリスチン酸、パルミチン酸、ステアリン酸及びオレイン酸からなる群から選択される少なくとも１種の脂肪酸の塩である請求項１に記載の液体洗浄剤組成物。
【請求項３】
前記ポリオキシエチレンアルキルエーテル酢酸塩は、下記一般式（２）で示される化合物である請求項１に記載の液体洗浄剤組成物。
【化２】
2020002337.tif 000016
［一般式（２）中、Ｒは、炭素数８〜１８のアルキル基であり、ｎは、オキシエチレン基の平均付加モル数を表す０．５〜２０の数であり、Ｘは対イオンである。］
【請求項４】
前記ポリオキシエチレンアルキルエーテル硫酸塩は、下記一般式（３）で示される化合物である請求項１に記載の液体洗浄剤組成物。
【化３】
2020002337.tif 000017
［一般式
（３）中、Ｒは、炭素数８〜１８のアルキル基であり、ｎは、オキシエチレン基の平均付加モル数を表す０．５〜２０の数であり、Ｘは対イオンである。］
【請求項５】
前記アニオン界面活性剤と前記カチオン界面活性剤とのモル比は、アニオン界面活性剤／カチオン界面活性剤＝１０／１〜１／２０である請求項１〜４のいずれかに記載の液体洗浄剤組成物。
【請求項６】
前記アニオン界面活性剤及び前記カチオン界面活性剤の合計重量が、０．１重量％となるように前記液体洗浄剤組成物を純水で希釈した際の濁度が、１５０度（ホルマジン）未満である請求項１〜５のいずれかに記載の液体洗浄剤組成物。
【発明の詳細な説明】
【技術分野】
【０００１】
本発明は、液体洗浄剤組成物に関する。
【背景技術】
【０００２】
従来より、アニオン界面活性剤を含む液体洗浄剤組成物や、カチオン界面活性剤を含む液体洗浄剤組成物は知られている。
【０００３】
例えば、特許文献１には、アニオン界面活性剤を含む液体洗浄剤組成物が記載されている。
すなわち、特許文献１には、（Ａ）酸化亜鉛及び／又は水酸化亜鉛と、（Ｂ）スルファミン酸と、（Ｃ）アニオン界面活性剤と、（Ｄ）両性又は半極性界面活性剤とを含有し、（Ｂ）成分と（Ａ）成分とのモル当量比が、（Ｂ）／（Ａ）＝１．０以上であり、かつ、２５℃におけるｐＨが５．５以上である台所用液体洗浄剤組成物が記載されている。
【０００４】
また、特許文献２には、カチオン界面活性剤を含む液体洗浄剤組成物が記載されている。
すなわち、特許文献２には、（Ａ）ノニオン界面活性剤２０〜４０質量％、（Ｂ）カチオン界面活性剤２〜１０質量％、（Ｃ）アルカリ剤１〜５質量％、（Ｄ）水溶性溶剤５〜２０質量％、（Ｅ）キレート剤０．１〜５質量％、及び（Ｆ）水を含有し、且つ、原液におけるｐＨ（ＪＩＳ−Ｚ−８８０２：１９８４「ｐＨ測定方法」）が、２５℃で１２以上に設定されていることを特徴とする硬表面用除菌洗浄剤組成物が記載されている。
【先行技術文献】
【特許文献】
【０００５】
【特許文献１】特開２０１５−２１０３０号公報
【特許文献２】特開２００７−１２６５８１号公報
【発明の概要】
【発明が解決しようとする課題】
【０００６】
通常、アニオン界面活性剤の親水基は負に帯電しており、カチオン界面活性剤の親水基は正に帯電している。そのため、アニオン界面活性剤を含む液体洗浄剤組成物とカチオン界面活性剤を含む液体洗浄剤組成物を混合すると、アニオン界面活性剤の親水基と、カチオン界面活性剤の親水基とが電気的に引き寄せられ、界面活性効果が低下する。
その結果、液体洗浄剤組成物の洗浄力が低下し、また、沈澱等の不溶物が生じてしまうという問題があった。
【０００７】
本発明は、上記問題を解決する為になされた発明であり、本発明の目的は、洗浄力が充分に高く、沈澱等の不溶物が生じない、アニオン界面活性剤及びカチオン界面活性剤を両方含む液体洗浄剤組成物を提供することである。
【課題を解決するための手段】
【０００８】
本発明者らは、鋭意研究した結果、特定の種類のアニオン界面活性剤及びカチオン界面活性剤を組み合わせることにより、液体洗浄剤組成物の洗浄力が向上し、かつ、沈澱等の不溶物が生じないことを見出し本発明を完成させた。
【０００９】
すなわち、本発明の液体洗浄剤組成物は、水と、脂肪酸塩、ポリオキシエチレンアルキルエーテル酢酸塩、ポリオキシエチレンアルキルエーテル硫酸塩、α−オレフィンスルホン酸塩、α−スルホ脂肪酸エステル塩、オクチル硫酸塩、トルエンスルホン酸塩、キシレンスルホン酸塩及びクメンスルホン酸塩からなる群から選択される少なくとも１種のアニオン界面活性剤と、アルキルジメチルヒドロキシエチルアンモニウム塩、ジオクチルジメチルアンモニウム塩、ジデシルメチルポリオキシエチルアンモニウム塩及び下記一般式（１）で示される化合物からなる群から選択される少なくとも１種のカチオン界面活性剤とを含むことを特徴とする。
【００１０】
【化１】
2020002337.tif 000002
［Ｒ１は、炭素数８〜１８のアルキル基であり、Ｒ２〜Ｒ４は、それぞれ、メチル基又はポリオキシアルキレン基であり、Ｘはハロゲン原子である。］
【００１１】
アニオン界面活性剤及びカチオン界面活性剤を単独で使用すると洗浄力が低い場合があるが、上記種類のアニオン界面活性剤とカチオン界面活性剤とを組み合わせると、液体洗浄剤組成物の洗浄力が向上する。
また、液体洗浄剤組成物に沈澱等の不溶物が生じない。
【００１２】
本発明の液体洗浄剤組成物では、上記脂肪酸塩は、カプリル酸、オクチル酸、カプリン酸、ラウリン酸、ミリスチン酸、パルミチン酸、ステアリン酸及びオレイン酸からなる群から選択される少なくとも１種の脂肪酸の塩であることが望ましい。
また、本発明の液体洗浄剤組成物では、上記ポリオキシエチレンアルキルエーテル酢酸塩は、下記一般式（２）で示される化合物であることが望ましい。
また、本発明の液体洗浄剤組成物では、上記ポリオキシエチレンアルキルエーテル硫酸塩は、下記一般式（３）で示される化合物であることが望ましい。
アニオン界面活性剤が、上記種類であると、液体洗浄剤組成物の洗浄力がより向上する。また、液体洗浄剤組成物に沈澱等の不溶物がより生じにくい。
【００１３】
【化２】
2020002337.tif 000003
［一般式（２）中、Ｒは、炭素数８〜１８のアルキル基であり、ｎは、オキシエチレン基の平均付加モル数を表す０．５〜２０の数であり、Ｘは対イオンである。］
【００１４】
【化３】
2020002337.tif 000004
［一般式（３）中、Ｒは、炭素数８〜１８のアルキル基であり、ｎは、オキシエチレン基の平均付加モル数を表す０．５〜２０の数であり、Ｘは対イオンである。］
【００１５】
本発明の液体洗浄剤組成物では、上記アニオン界面活性剤と上記カチオン界面活性剤とのモル比は、アニオン界面活性剤／カチオン界面活性剤＝１０／１〜１／２０であることが望ましい。
このような、アニオン界面活性剤及びカチオン界面活性剤が、上記組み合わせ及び上記モル比であると、液体洗浄剤組成物の洗浄力がより向上する。
【００１６】
本発明の液体洗浄剤組成物では、上記アニオン界面活性剤及び上記カチオン界面活性剤の合計重量が、０．１重量％となるように上記液体洗浄剤組成物を純水で希釈した際の濁度が、１５０度（ホルマジン）未満であることが望ましい。
本発明の液体洗浄剤組成物は、通常、水で希釈されて使用される。
アニオン界面活性剤及びカチオン界面活性剤の合計重量が、０．１重量％となるような希釈液において、濁度が、１５０度（ホルマジン）未満であるということは、希釈液に沈澱等の不溶物が生じていないことを意味する。
すなわち、このような特性を有する本発明の液体洗浄剤組成物は、使用時の状態においても、沈澱等の不溶物が生じにくい。
【発明の効果】
【００１７】
本発明の液体洗浄剤組成物は、所定のアニオン界面活性剤とカチオン界面活性剤とを含む。
そのため、本発明の液体洗浄剤組成物の洗浄力は充分に高い。
また、液体洗浄剤組成物に沈澱等の不溶物が生じない。
【図面の簡単な説明】
【００１８】
【図１】図１（ａ）は、洗浄力評価における洗浄前のモデル汚れの写真である。図１（ｂ）は、実施例１に係る液体洗浄剤組成物を用いた洗浄力評価の結果の写真である。図１（ｃ）は、比較例１に係る液体洗浄剤組成物を用いた洗浄力評価の結果の写真である。
【発明を実施するための形態】
【００１９】
以下、本発明の液体洗浄剤組成物について、具体的な実施形態を示しながら説明するが、本発明はこれらの実施形態だけに限定されるものではない。
【００２０】
本発明の液体洗浄剤組成物は、水と、脂肪酸塩、ポリオキシエチレンアルキルエーテル酢酸塩、ポリオキシエチレンアルキルエーテル硫酸塩、α−オレフィンスルホン酸塩、α−スルホ脂肪酸エステル塩、オクチル硫酸塩、トルエンスルホン酸塩、キシレンスルホン酸塩及びクメンスルホン酸塩からなる群から選択される少なくとも１種のアニオン界面活性剤と、アルキルジメチルヒドロキシエチルアンモニウム塩、ジオクチルジメチルアンモニウム塩、ジデシルメチルポリオキシエチルアンモニウム塩及び下記一般式（１）で示される化合物からなる群から選択される少なくとも１種のカチオン界面活性剤とを含むことを特徴とする液体洗浄剤組成物。
【化４】
2020002337.tif 000005
［Ｒ１は、炭素数８〜１８のアルキル基であり、Ｒ２〜Ｒ４は、それぞれ、メチル基又はポリオキシアルキレン基であり、Ｘはハロゲン原子である。］
【００２１】
アニオン界面活性剤及びカチオン界面活性剤を単独で使用すると洗浄力が低い場合があるが、上記種類のアニオン界面活性剤とカチオン界面活性剤とを組み合わせると、液体洗浄剤組成物の洗浄力が向上する。
また、液体洗浄剤組成物に沈澱等の不溶物が生じない。
【００２２】
以下、本発明の液体洗浄剤組成物の成分について説明する。
【００２３】
（アニオン界面活性剤）
本発明の液体洗浄剤組成物では、アニオン界面活性剤は、脂肪酸塩、ポリオキシエチレンアルキルエーテル酢酸塩、ポリオキシエチレンアルキルエーテル硫酸塩、α−オレフィンスルホン酸塩、α−スルホ脂肪酸エステル塩、オクチル硫酸塩、トルエンスルホン酸塩、キシレンスルホン酸塩及びクメンスルホン酸塩からなる群から選択される少なくとも１種からなる。
【００２４】
脂肪酸塩としては、カプリル酸、オクチル酸、カプリン酸、ラウリン酸、ミリスチン酸、パルミチン酸、ステアリン酸及びオレイン酸からなる群から選択される少なくとも１種の脂肪酸の塩であることが望ましい。また、脂肪酸塩は、これらの混合物であってもよい。脂肪酸塩の混合物としては、例えば、ヤシ油脂肪酸塩が挙げられる。
脂肪酸塩は、ナトリウム塩、カリウム塩、２−アミノエタノール塩、ジエタノールアミン塩、トリエタノールアミン塩又はアンモニウム塩であることが望ましい。
【００２５】
ポリオキシエチレンアルキルエーテル酢酸塩としては、下記一般式（２）で示される化合物であることが望ましい。
【００２６】
【化５】
2020002337.tif 000006
［一般式（２）中、Ｒは、炭素数８〜１８のアルキル基であり、ｎは、オキシエチレン基の平均付加モル数を表す０．５〜２０の数であり、Ｘは対イオンである。］
【００２７】
一般式（２）において、ｎは、１〜１０の数であることが望ましい。
一般式（２）において、Ｘで示される対イオンは、Ｎａ＋であることが望ましい。
【００２８】
ポリオキシエチレンアルキルエーテル硫酸塩としては、下記一般式（３）で示される化合物であることが望ましい。
【化６】
2020002337.tif 000007
［一般式（３）中、Ｒは、炭素数８〜１８のアルキル基であり、ｎは、オキシエチレン基の平均付加モル数を表す０．５〜２０の数であり、Ｘは対イオンである。］
【００２９】
一般式（３）において、ｎは、１〜１０の数であることが望ましい。
一般式（３）において、Ｘで示される対イオンは、Ｎａ＋、ＮＨ４＋又はＨＮ（ＣＨ４ＯＨ）３＋であることが望ましい。
【００３０】
α−オレフィンスルホン酸塩、α−スルホ脂肪酸エステル塩、オクチル硫酸塩、トルエンスルホン酸塩、キシレンスルホン酸塩及びクメンスルホン酸塩の対イオンは、ナトリウム又はカリウムであることが望ましい。
【００３１】
これらのアニオン界面活性剤は、後述するカチオン界面活性剤との相性がよく、本発明の液体洗浄剤組成物の洗浄力を向上させることができる。
【００３２】
（カチオン界面活性剤）
本発明の液体洗浄剤組成物では、カチオン界面活性剤は、アルキルジメチルヒドロキシエチルアンモニウム塩、ジオクチルジメチルアンモニウム塩、ジデシルメチルポリオキシエチルアンモニウム塩及び下記一般式（１）で示される化合物からなる群から選択される少なくとも１種である。
【００３３】
【化７】
2020002337.tif 000008
［Ｒ１は、炭素数８〜１８のアルキル基であり、Ｒ２〜Ｒ４は、それぞれ、メチル基又はポリオキシアルキレン基であり、Ｘはハロゲン原子である。］
【００３４】
また、アルキルジメチルヒドロキシエチルアンモニウム塩、ジオクチルジメチルアンモニウム塩及びジデシルメチルポリオキシエチルアンモニウム塩は塩化物又は臭化物であることが望ましい。
【００３５】
上記一般式（１）で示される化合物においてＲ２〜Ｒ４は、それぞれ、メチル基又はポリオキシアルキレン基であるが、ポリオキシアルキレン基は、例えば、ポリオキシエチレン基であってもよい。
【００３６】
上記一般式（１）で示される化合物としては、ヘキサデシルトリメチルアンモニウム塩、ヘキサデシルトリメチルアンモニウム塩、ラウリルトリメチルアンモニウム塩、ステアリルトリメチルアンモニウム塩、トリ（ポリオキシエチレン）ステアリルアンモニウム（５ＥＯ）塩であることが望ましい。
【００３７】
上記一般式（１）においてＸは、塩素又は臭素であることが望ましい。
【００３８】
これらのカチオン界面活性剤は、上述したアニオン界面活性剤との相性がよく、本発明の液体洗浄剤組成物の洗浄力を向上させることができる。
【００３９】
本発明の液体洗浄剤組成物では、上記アニオン界面活性剤と上記カチオン界面活性剤とのモル比は、アニオン界面活性剤／カチオン界面活性剤＝１０／１〜１／２０であることが望ましく、８／１〜１／１５であることがより望ましい。
このような、アニオン界面活性剤及びカチオン界面活性剤が、上記組み合わせ及び上記モル比であると、液体洗浄剤組成物の洗浄力がより向上する。
【００４０】
（その他の成分）
本発明の液体洗浄剤組成物は、さらにアルカリ剤、キレート剤、分散剤、溶剤、消泡剤、蛍光増白剤、香料、色粉等を含んでいてもよい。
【００４１】
アルカリ剤としては、特に限定されないが、水酸化ナトリウムや水酸化カリウム等のアルカリ金属の水酸化物、メタ／オルソケイ酸ナトリウムやメタ／オルソケイ酸カリウム等のアルカリ金属のケイ酸塩、炭酸ナトリウムや炭酸カリウム等のアルカリ金属の炭酸塩、及び、２−アミノエタノールやジエタノールアミンやトリエタノールアミン等のアルカノールアミン等が挙げられる。
【００４２】
キレート剤としては、特に限定されないが、エチレンジアミンテトラ酢酸（ＥＤＴＡ）、ヒドロキシエチルエチレンジアミントリ酢酸（ＨＥＤＴＡ）、ニトリロトリ酢酸（ＮＴＡ）、ジエチレントリアミンペンタ酢酸（ＤＴＰＡ）、２−ホスホノブタン−１，２，４−トリカルボン酸、エチレンジアミンコハク酸（ＥＤＤＳ）、ヒドロキシエチルイミノ二酢酸（ＨＩＤＡ）、グルタミン酸二酢酸（ＧＬＤＡ）、メチルグリシン二酢酸（ＭＧＤＡ）、アスパラギン酸二酢酸（ＡＳＤＡ）、ヒドロキシエチリデンジホスホン酸（ＨＥＤＰ）、ニトリロトリスメチレンホスホン酸（ＮＴＭＰ）、ホスホノブタントリカルボン酸（ＰＢＴＣ）、エチレンジアミンテトラメチレンホスホン酸（ＥＤＴＭＰ）及びこれらの塩、並びに、トリポリリン酸、ヘキサメタリン酸塩等が挙げられる。
【００４３】
分散剤としては、平均分子量３，０００〜３００，０００の高分子分散剤が挙げられる。
このような高分子分散剤としては、ポリアクリル酸、ポリアコニット酸、ポリイタコン酸、ポリシトラコン酸、ポリフマル酸、ポリマレイン酸、ポリメタコン酸、ポリ−α−ヒドロキシアクリル酸、ポリビニルホスホン酸、スルホン化ポリマレイン酸、オレフィン−マレイン酸共重合体、無水マレイン酸ジイソブチレン共重合体、無水マレイン酸スチレン共重合体、無水マレイン酸メチルビニルエーテル共重合体、無水マレイン酸エチレン共重合体、無水マレイン酸エチレンクロスリンク共重合体、無水マレイン酸アクリル酸共重合体、無水マレイン酸酢酸ビニル共重合体、無水マレイン酸アクリロニトリル共重合体、無水マレイン酸アクリル酸エステル共重合体、無水マレイン酸ブタジエン共重合体、無水マレイン酸イソプレン共重合体、無水マレイン酸と一酸化炭素から誘導されるポリ−β−ケトカルボン酸、イタコン酸、エチレン共重合体、イタコン酸アコニット酸共重合体、イタコン酸マレイン酸共重合体、イタコン酸アクリル酸共重合体、マロン酸メチレン共重合体、イタコン酸フマール酸共重合体、エチレングリコールエチレンテレフタレート共重合体、ビニルピロリドン酢酸ビニル共重合体、これらの金属塩等が挙げられる。
金属塩としては、例えば、カリウム、ナトリウム等のアルカリ金属の塩；マグネシウム、カルシウム等のアルカリ土類金属の塩を挙げることができる。中でも、アルカリ金属の塩が好ましく、ナトリウム塩又はカリウム塩がより好ましい。
【００４４】
溶剤としては、アルコール系溶剤及びグリコール系溶剤等が挙げられる。
アルコール系溶剤としては、メタノール、エタノール、１−プロパノール、２−プロパノール、１−ブタノール、２−ブタノール、２−メトキシエタノール、２−エトキシエタノール等が挙げられ、グリコール系溶剤としては、エチレングリコール、プロピレングリコール、ジプロピレングリコール、１，４−ブタンジオール、１，６−ヘキサンジオール、グリセリン、ポリエチレングリコール、ポリプロピレングリコール、エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル等が挙げられる。これらの中では、エタノール、プロピレングリコール、グリセリン、ポリエチレングリコール、ポリプロピレングリコール、ジエチレングリコールモノブチルエーテル等が望ましく、エタノール又はジエチレングリコールモノブチルエーテルがさらに望ましい。
【００４５】
消泡剤としては、特に限定されないが、シリコーン系消泡剤等が挙げられる。
【００４６】
本発明の液体洗浄剤組成物は、アニオン界面活性剤及びカチオン界面活性剤の合計重量が、０．００５〜１０．０重量％となるように希釈されて使用されることが望ましく、０．０５〜１．０重量％となるように希釈されて使用されることが望ましい。
【００４７】
本発明の液体洗浄剤組成物では、アニオン界面活性剤及びカチオン界面活性剤の合計重量が、０．１重量％となるように上記液体洗浄剤組成物を純水で希釈した際の、濁度が、１５０度（ホルマジン）未満であることが望ましく、１００度（ホルマジン）未満であることがより望ましい。
上記希釈液において、濁度が、１５０度（ホルマジン）未満であるということは、希釈液に沈澱等の不溶物が生じていないことを意味する。
すなわち、このような特性を有する本発明の液体洗浄剤組成物は、使用時の状態においても、沈澱等の不溶物が生じにくい。
なお、本明細書において、「濁度」とは、ＪＩＳ  Ｋ  ０１０１  （工業用水試験方法）に準じ、ホルマジン標準液を用いて測定した値のことを意味する。
濁度は、紫外可視近赤外分光光度計（型番：Ｖ−６７０ＤＳ、日本分光株式会社製）及び分光光度計用セル１０ｍｍを用いることにより測定することができる。
測定の手順としては、まず、ホルマジン標準液（４００度）（キシダ化学株式会社製）を所定の濃度に希釈した希釈液（２０〜４００度（ホルマジン））を作製し、各希釈液に基づき検量線を作成する。その後、試料の透過率を測定する。そして、試料の測定値と上記検量線とから、試料の濁度（ホルマジン）を算出することができる。
【００４８】
上記の通り、本発明の液体洗浄剤組成物は水で希釈されて使用されることになるが、その希釈液の２０℃におけるｐＨは、３．０以上であることが望ましい。
本明細書において、希釈液のｐＨとは、ＪＩＳ  Ｚ  ８８０２（ＪＩＳ法）に準じて測定した値のことを意味する。
【実施例】
【００４９】
以下、本発明をより具体的に説明する実施例を示す。なお、本発明はこれらの実施例のみに限定されるものではない。
【００５０】
（実施例１〜６６）及び（比較例１〜１３）
表１〜６に示す処方に従い、実施例１〜６６及び比較例１〜１３に係る液体洗浄剤組成物を作製した。
【００５１】
【表１】
2020002337.tif 000009
【００５２】
【表２】
2020002337.tif 000010
【００５３】
【表３】
2020002337.tif 000011
【００５４】
【表４】
2020002337.tif 000012
【００５５】
【表５】
2020002337.tif 000013
【００５６】
【表６】
2020002337.tif 000014
【００５７】
表１〜表６における各化合物の製造元等は以下の通りである。
（アニオン界面活性剤）
カプリル酸カリウム：米山薬品工業（株）製の「ｎ−カプリル酸」を米山薬品工業（株）製の「水酸化カリウム」で中和した化合物
オクチル酸カリウム：東京化成工業（株）製の「２−エチルヘキサン酸」を米山薬品工業（株）製「水酸化カリウム」で中和した化合物
カプリン酸カリウム：米山薬品工業（株）製の「デカン酸」を米山薬品工業（株）製の「水酸化カリウム」で中和した化合物
カプリン酸ナトリウム：米山薬品工業（株）製の「デカン酸」を米山薬品工業（株）製「水酸化ナトリウム」で中和した化合物
ラウリン酸カリウム：米山薬品工業（株）製の「ラウリン酸」を米山薬品工業（株）製の「水酸化カリウム」で中和した化合物
ラウリン酸トリエタノールアミン：米山薬品工業（株）製の「ラウリン酸」を米山薬品工業（株）製の「トリエタノールアミン」で中和した化合物
ヤシ脂肪酸カリウム：ミヨシ油脂（株）製の「ヤシ脂肪酸  ５００」を米山薬品工業（株）製「水酸化カリウム」で中和した化合物
ヤシ脂肪酸モノエタノールアミン：ミヨシ油脂（株）製の「ヤシ脂肪酸  ５００」を  米山薬品工業（株）製「２−アミノエタノール」で中和した化合物
ミリスチン酸カリウム：米山薬品工業（株）製の「ミリスチン酸」を米山薬品工業（株）製の「水酸化カリウム」で中和した化合物
ミリスチン酸モノエタノールアミン：米山薬品工業（株）製の「ミリスチン酸」を米山薬品工業（株）製の「２−アミノエタノール」で中和した化合物
オレイン酸カリウム：米山薬品工業（株）製の「オレイン酸カリウム」
ポリオキシエチレンラウリルエーテル酢酸ナトリウム（１）：三洋化成工業（株）製の「ビューライトＬＣＡ−３０Ｄ  ポリオキシエチレン（３）ラウリルエーテル酢酸ナトリウム」
ポリオキシエチレンラウリルエーテル酢酸ナトリウム（２）：花王（株）製の「カオーアキポＲＬＭ−１００ＮＶ  ポリオキシエチレン（１０）ラウリルエーテル酢酸ナトリウム」
ポリオキシエチレンデシルエーテル酢酸ナトリウム：泰光油脂化学工業（株）製の「タイポールソフトＤＥＣＡ−３９０  ポリオキシエチレン（３）デシルエーテル酢酸ナトリウム」
ポリオキシエチレンオレイルエーテル酢酸ナトリウム：クラリアントジャパン（株）製の「ＥｍｕｌｓｏｇｅｎＣＯＬ０８０  ポリオキシエチレン（８）オレイルエーテル酢酸」を米山薬品工業（株）製の「水酸化ナトリウム」で中和した化合物
ポリオキシエチレンラウリルエーテル硫酸ナトリウム（１）：泰光油脂化学工業（株）製の「タイポールＮＬＥＳ−３２７  ポリオキシエチレン（３）ラウリルエーテル硫酸ナトリウム」
ポリオキシエチレンラウリルエーテル硫酸ナトリウム（２）：テイカ（株）製の「ＳＬＥＳ−１ＥＯ  ポリオキシエチレン（１）ラウリルエーテル硫酸ナトリウム」
ポリオキシエチレンラウリルエーテル硫酸トリエタノールアミン：泰光油脂化学工業（株）製の「タイポールＮＬＥＴ−２３６  ポリオキシエチレン（２）ラウリルエーテル硫酸トリエタノールアミン」
ポリオキシエチレントリデシルエーテル硫酸ナトリウム：泰光油脂化学工業（株）製の「タイポールＴＤＥＳ−２０３０  ポリオキシエチレン（２０）トリデシルエーテル硫酸ナトリウム」
α−オレフィンスルホン酸ナトリウム（Ｃ１４、１６）：ライオン・スペシャリティ・ケミカルズ（株）製の「リポランＬＪ−４４１」
α−スルホ牛脂脂肪酸エステルナトリウム：日油（株）製の「サンベースＦＭ−２」
オクチル硫酸ナトリウム：Ａｌｆａ  Ａｅｓａｒ社製の「硫酸オクチルナトリウム塩（Ｃ８）」
トルエンスルホン酸ナトリウム：米山薬品工業（株）製の「ｐ−トルエンスルホン酸ナトリウム」
キシレンスルホン酸ナトリウム：テイカ（株）製の「テイカトックスＮ１１４０  キシレンスルホン酸ナトリウム」
クメンスルホン酸ナトリウム：テイカ（株）製の「テイカトックスＮ５０４０  キュメンスルホン酸ナトリウム」
ラウリルベンゼンスルホン酸ナトリウム：東京化成工業（株）製の「ドデシルベンゼンスルホン酸ナトリウム  （ソフト型）」
アルキルスルホン酸ナトリウム：クラリアントジャパン（株）製の「Ｈｏｓｔａｐｕｒ  ＳＡＳ３０  アルキル（Ｃ１４−１８）スルホン酸ナトリウム」
ラウリル硫酸ナトリウム：米山薬品工業（株）製の「ドデシル硫酸ナトリウム」
（カチオン界面活性剤）
ジオクチルジメチルアンモニウムクロライド：ロンザジャパン（株）製の「バーダックＬＦ−８０」
アルキルジメチルヒドロキシエチルアンモニウムクロライド：クラリアントジャパン（株）製の「ＰＲＡＥＰＡＧＥＮ  ＨＹ  アルキル（Ｃ１２−１４）ジメチルヒドロキシエチルアンモニウムクロライド」
ジデシルメチルポリオキシエチルアンモニウムプロピオネート：ロンザジャパン（株）製の「Ｂａｒｄａｐ２６  ジデシルメチルポリ（１〜２）オキシエチルアンモニウムプロピオネート」
塩化ベンザルコニウム：東京化成工業（株）製の「ベンジルジメチルアルキルアンモニウムクロリド」
塩化ジデシルジメチルアンモニウム：ライオン・アクゾ（株）製の「リポカード２１０−８０Ｅ」
ヘキサデシルトリメチルアンモニウムクロライド：東京化成工業（株）製の「セチルトリメチルアンモニウムクロリド」
ヘキサデシルトリメチルアンモニウムブロマイド：和光純薬工業（株）製の「臭化セチルトリメチルアンモニウム」
ラウリルトリメチルアンモニウムクロライド：東京化成工業（株）製の「カチナールＬＴＣ−３５Ａ」
ステアリルトリメチルアンモニウムクロライド：東京化成工業（株）製の「カチナールＳＴＣ−８０」
トリ（ポリオキシエチレン）ステアリルアンモニウム（５ＥＯ）クロライド：東京化成工業（株）製の「カチナールＳＰＣ−２０Ｖ−Ｓ」
【００５８】
（洗浄力評価）
各実施例及び各比較例に係る液体洗浄剤組成物について、洗浄力評価を以下の手順で行った。結果を表１〜６に示す。
ステンレス板（６ｃｍ×６ｃｍ）に複合汚れ（大豆白絞油：牛脂：薄力粉＝８５：５：１０）を０．２ｇを塗り、１０分間放置し、モデル汚れとした。
アニオン界面活性剤及びカチオン界面活性剤の濃度が表１〜６に示す濃度になるように、各実施例及び各比較例に係る液体洗浄剤組成物を水で希釈し、表１〜６に示すｐＨとなるようにｐＨ調整剤を加えて洗浄液を作製した。
なお、ｐＨ調整剤として、水酸化カリウム（米山薬品工業（株）製）及び硫酸（米山薬品工業（株）製）を用いた。
次に、汚れの付いたステンレス板を洗浄液中に浸漬し、３分浸漬後の汚れの落ち具合を目視で評価した。
評価基準は以下の通りである。
◎：７５％以上の汚れが除去されている。
○：５０％を超え、７５％未満の汚れが除去されている。
×：５０％以上の汚れが付着している。
【００５９】
また、実施例１の液体洗浄剤組成物を用いた洗浄力評価の結果の写真と、比較例１の液体洗浄剤組成物を用いた洗浄力評価の結果の写真を図面に示す。
図１（ａ）は、洗浄力評価における洗浄前のモデル汚れの写真である。
図１（ｂ）は、実施例１に係る液体洗浄剤組成物を用いた洗浄力評価の結果の写真である。
図１（ｃ）は、比較例１に係る液体洗浄剤組成物を用いた洗浄力評価の結果の写真である。
【００６０】
（濁度評価）
各実施例及び各比較例に係る液体洗浄剤組成物について、濁度評価を以下の手順で行った。結果を表１〜６に示す。
アニオン界面活性剤及びカチオン界面活性剤の合計重量が、０．１重量％となるように各実施例及び各比較例に係る液体洗浄剤組成物を水で希釈し、表１〜６に示すｐＨとなるようにｐＨ調整剤を加えて試験溶液を作製した。
各試験溶液の濁度を、紫外可視近赤外分光光度計（型番：Ｖ−６７０ＤＳ、日本分光株式会社製）及び分光光度計用セル１０ｍｍを用いて測定した。
評価基準は以下の通りである。
〇：濁度が１５０度（ホルマジン）未満である。
×：濁度が１５０度（ホルマジン）以上である。
【００６１】
表１〜５に示すように、特定の種類のアニオン界面活性剤とカチオン界面活性剤とを併用した各実施例に係る液体洗浄剤組成物は、洗浄力評価及び濁度評価が良好であった。
一方、表６に示すように、アニオン界面活性剤としてラウリルベンゼンスルホン酸ナトリウム、アルキルスルホン酸ナトリウム又はラウリル硫酸ナトリウムを用いた場合や、カチオン界面活性剤として塩化ベンザルコニウム、塩化ジデシルジメチルアンモニウムを用いた場合、すなわち、比較例１〜９に係る液体洗浄剤組成物では、洗浄力評価及び／又は濁度評価が良好でなかった。
また、アニオン界面活性剤単独からなる比較例１０〜１２に係る液体洗浄剤組成物、及び、カチオン界面活性剤単独からなる比較例１３に係る液体洗浄剤組成物では、洗浄力評価が良好でなかった。
以上より、特定の種類のアニオン界面活性剤及びカチオン界面活性剤を組み合わせた場合に、洗浄力が向上し、沈澱等の不溶物が生じないことが判明した。
【図１】
2020002337.tif 000019